(57)【要約】【課題】室内の温度分布の偏りを軽減することができる空気調和機を提供する。【解決手段】空気調和機２ａは、本体ケーシング２４と、輻射によって空気調和を行う輻射パネル２３ａとを備える。そして、この空気調和機２ａでは、輻射パネル２３ａに沿って流動する流動空気が本体ケーシング２４内へ向けて案内される。【選択図】　　　　図５
2004132560.tif 000002
【特許請求の範囲】
【請求項１】
本体ケーシング（２４）と、
輻射によって空気調和を行う第１輻射パネル（２３ａ，２３１ｂ，２３ｃ）と、
を備え、
前記第１輻射パネル（２３ａ，２３１ｂ，２３ｃ）に沿って流動する流動空気が前記本体ケーシング（２４）内へ向けて案内される、
空気調和機（１ａ，１ｂ，１ｃ）。
【請求項２】
前記流動空気を前記本体ケーシング（２４）内へと取り込み室内へと吹き出させることができる送風装置（２１）をさらに備える、
請求項１に記載の空気調和機（１ａ，１ｂ，１ｃ）。
【請求項３】
前記本体ケーシング（２４）内へと取り込まれた前記流動空気との間で熱交換を行うことができる熱交換器（２０）をさらに備える、
請求項２に記載の空気調和機（１ａ，１ｂ，１ｃ）。
【請求項４】
前記本体ケーシング（２４）は、上方へと吹き出す空気が通る上吹出し口（２４４）を有し、
冷房時には、前記本体ケーシング（２４）内へと取り込まれた前記流動空気を前記上吹出し口（２４４）から吹き出させる、
請求項２または３に記載の空気調和機（１ａ，１ｂ，１ｃ）。
【請求項５】
前記本体ケーシング（２４）は、下方へと吹き出す空気が通る下吹出し口（２４５）を有し、
暖房時には、前記本体ケーシング（２４）内へと取り込まれた前記流動空気を前記下吹出し口（２４５）から吹き出させる、
請求項２から４のいずれかに記載の空気調和機（１ａ，１ｂ，１ｃ）。
【請求項６】
前記第１輻射パネル（２３ａ）に沿って流動する前記流動空気を前記本体ケーシング（２４）内へ向けて案内するガイド（２６，２７）をさらに備える、
請求項１から５のいずれかに記載の空気調和機（１ａ）。
【請求項７】
前記ガイド（２７）は、前記第１輻射パネル（２３ａ）の下方を覆うように設けられる、
請求項６に記載の空気調和機（１ａ）。
【請求項８】
前記ガイド（２７）は、前記第１輻射パネル（２３ａ）から生じるドレン水を受け取るドレンパンを兼ねる、
請求項７に記載の空気調和機（１ａ）。
【請求項９】
前記ガイド（２６）は、前記第１輻射パネル（２３ａ）の上方を覆うように設けられる、
請求項６に記載の空気調和機（１ａ）。
【請求項１０】
前記第１輻射パネル（２３ａ）の上方を覆うように設けられ、前記第１輻射パネル（２３ａ）に沿って流動する前記流動空気を前記本体ケーシング（２４）内へ向けて案内すると共に前記上吹出し口（２４４）から吹き出された空気を案内するガイド（２６）を備える、
請求項４に記載の空気調和機（１ａ）。
【請求項１１】
前記第１輻射パネル（２３１ｂ）とは別体に形成され、前記第１輻射パネル（２３１ｂ）に沿って流動する前記流動空気を前記本体ケーシング（２４）内へ向けて案内するように配置される第２輻射パネル（２３２ｂ，２３３ｂ）をさらに備える、
請求項１から５のいずれかに記載の空気調和機（１ｂ）。
【請求項１２】
前記第２輻射パネル（２３３ｂ）は前記第１輻射パネル（２３１ｂ）の下方に配置される、
請求項１１に記載の空気調和機（１ｂ）。
【請求項１３】
冷房時には前記第１輻射パネル（２３１ｂ）の下方に配置された前記第２輻射パネル（２３３ｂ）を暖める、
請求項１２に記載の空気調和機（１ｂ）。
【請求項１４】
前記第２輻射パネル（２３２ｂ）は前記第１輻射パネル（２３１ｂ）の上方に配置される、
請求項１１に記載の空気調和機（１ｂ）。
【請求項１５】
暖房時には前記第１輻射パネル（２３１ｂ）の上方に配置された前記第２輻射パネル（２３２ｂ）を冷却する、
請求項１４に記載の空気調和機（１ｂ）。
【請求項１６】
前記第１輻射パネル（２３ｃ）は、隙間を隔てて配置される複数の分割輻射パネル（２３１ｃ−２３４ｃ）により構成される、
請求項１から５のいずれかに記載の空気調和機（１ｃ）。
【請求項１７】
複数の前記分割輻射パネル（２３１ｃ−２３４ｃ）は、上下方向に並べて配置されており、
冷房時には、複数の前記分割輻射パネル（２３１ｃ−２３４ｃ）の内、下方に配置された前記分割輻射パネル（２３１ｃ）を暖める、
請求項１６に記載の空気調和機（１ｃ）。
【請求項１８】
複数の前記分割輻射パネル（２３１ｃ−２３４ｃ）は、上下方向に並べて配置されており、
暖房時には複数の前記分割輻射パネル（２３１ｃ−２３４ｃ）の内、上方に配置された前記分割輻射パネル（２３４ｃ）を冷却する、
請求項１６に記載の空気調和機（１ｃ）。
【請求項１９】
輻射によって空気調和を行う主輻射パネル（２３１ｂ，２３２ｃ，２３３ｃ）と、
前記主輻射パネル（２３１ｂ，２３２ｃ，２３３ｃ）の上下方向の端部近傍に配置され、前記主輻射パネル（２３１ｂ，２３２ｃ，２３３ｃ）とは独立して温度制御されることが可能な熱源装置（２３２ｂ，２３３ｂ，２３１ｃ，２３４ｃ）と、
を備える空気調和機（１ｂ，１ｃ）。
【請求項２０】
前記熱源装置（２３２ｂ，２３３ｂ，２３１ｃ，２３４ｃ）は、前記主輻射パネル（２３１ｂ，２３２ｃ，２３３ｃ）とは別体に形成される副輻射パネル（２３２ｂ，２３３ｂ，２３１ｃ，２３４ｃ）である、
請求項１９に記載の空気調和機（１ｂ，１ｃ）。
【請求項２１】
前記主輻射パネル（２３１ｂ，２３２ｃ，２３３ｃ）と前記熱源装置（２３２ｂ，２３３ｂ，２３１ｃ，２３４ｃ）とには、同一の冷媒回路を循環する冷媒が流れる、
請求項１９または２０に記載の空気調和機（１ｂ，１ｃ）。
【請求項２２】
前記熱源装置（２３３ｂ，２３１ｃ）は前記主輻射パネル（２３１ｂ，２３２ｃ）の下端部近傍に配置されており、
冷房時には前記熱源装置（２３３ｂ，２３１ｃ）を暖める、
請求項１９から２１のいずれかに記載の空気調和機（１ｂ，１ｃ）。
【請求項２３】
前記熱源装置（２３２ｂ，２３４ｃ）は前記主輻射パネル（２３１ｂ、２３３ｃ）の上端部近傍に配置されており、
暖房時には前記熱源装置（２３２ｂ，２３４ｃ）を冷却する、
請求項１９から２１のいずれかに記載の空気調和機（１ｂ，１ｃ）。
【発明の詳細な説明】
【０００１】
【発明の属する技術分野】
本発明は空気調和機、特に、輻射パネルからの輻射によって空気調和を行うことができる空気調和機に関する。
【０００２】
【従来の技術】
輻射パネルからの輻射によって空気調和を行うことができる空気調和機が、従来より利用されている。このような空気調和機は、前面に輻射パネルを備えているものが多い。そして、このような空気調和機は、輻射パネルを加熱又は冷却することにより輻射パネルからの輻射熱を利用して室内の冷暖房を行うことができる（例えば、特許文献１参照。）。
【０００３】
【特許文献１】
特許第２５２５７６９号公報
【０００４】
【発明が解決しようとする課題】
しかし、上記のような空気調和機においては、輻射パネルが加熱又は冷却されることによって、輻射パネルの表面近傍で自然対流が生じることがある。このような自然対流が生じると、輻射パネルに沿って流動する流動空気のために室内の温度分布の偏りが大きくなる恐れがある。例えば、輻射パネルが冷却されて冷房輻射が行われると、副次的に輻射パネルの表面近傍の空気が冷却される。このため、輻射パネルに沿って下方へと向かうような自然対流が生じる。この場合、冷たい空気が床面付近に滞留し易くなり、居住者の足元が冷え過ぎる恐れがある。また、輻射パネルが暖められて暖房輻射が行われると、副次的に輻射パネルの表面近傍の空気が暖められる。このため、輻射パネルに沿って上方へと向かうような自然対流が生じる。この場合、暖気が室内の上部に滞留し易くなり、居住者の頭部付近が暖まりすぎる恐れがある。このように、上記のような空気調和機においては、室内の温度分布の偏りが大きくなる恐れがある。
【０００５】
本発明の課題は、室内の温度分布の偏りを軽減することができる空気調和機を提供することにある。
【０００６】
【課題を解決するための手段】
請求項１に記載の空気調和機は、本体ケーシングと、輻射によって空気調和を行う第１輻射パネルとを備える。そして、この空気調和機では、第１輻射パネルに沿って流動する流動空気が本体ケーシング内へ向けて案内される。
この空気調和機では、第１輻射パネルに沿って流動する流動空気が本体ケーシング内へ向けて案内される。例えば、冷房時には第１輻射パネルが冷却されることにより、第１輻射パネルに沿って下方へと流動する流動空気が生じる。また、暖房時には第１輻射パネルが加熱されることにより、第１輻射パネルに沿って上方へと流動する流動空気が生じる。そして、この空気調和機では、このような流動空気が本体ケーシング内へ向けて案内される。このため、この空気調和機では、上記のような流動空気が床面付近や天井面付近等に滞留することを抑えることができる。これにより、この空気調和機では、室内の温度分布の偏りを軽減し快適性を向上させることができる。
【０００７】
請求項２に記載の空気調和機は、請求項１に記載の空気調和機であって、送風装置をさらに備える。送風装置は、流動空気を本体ケーシング内へと取り込み室内へと吹き出させることができる。
この空気調和機では、送風装置が、流動空気を本体ケーシング内へと取り込み室内へと吹き出させることができる。このため、本体ケーシング内へと取り込まれた冷たい空気や暖かい空気を、再び室内へと吹出して室内の冷房や暖房に利用することができる。これにより、この空気調和機では、省エネ性を向上させることができる。
【０００８】
請求項３に記載の空気調和機は、請求項２に記載の空気調和機であって、熱交換器をさらに備える。熱交換器は、本体ケーシング内へと取り込まれた流動空気との間で熱交換を行うことができる。
この空気調和機では、熱交換器が、本体ケーシング内へと取り込まれた流動空気との間で熱交換を行うことができる。このため、この空気調和機では、本体ケーシング内へと取り込まれた流動空気を、熱交換器により冷却又は加熱して送風装置により再び室内へと送ることができる。すなわち、この空気調和機では、輻射による輻射式空気調和と、熱交換器と送風装置とによる対流式空気調和との両方による空気調和を行うことができる。このため、この空気調和機では、輻射式空気調和のみによって空気調和を行う場合と比べて、冷房時の冷たい空気や暖房時の暖かい空気を室内により十分に行き届かせることができる。
【０００９】
請求項４に記載の空気調和機は、請求項２または３に記載の空気調和機であって、本体ケーシングは、上方へと吹き出す空気が通る上吹出し口を有する。そして、この空気調和機は、冷房時には、本体ケーシング内へと取り込まれた流動空気を上吹出し口から吹き出させる。
この空気調和機では、冷房時には、本体ケーシング内へと取り込まれた流動空気が上吹出し口から吹き出す。上吹出し口から吹き出た冷房時の冷たい空気は、室内の上部から下部へと下降しながら室内の広い範囲を冷やす。このため、この空気調和機では、冷房時の冷たい空気が床面付近に滞留することを抑えることができる。これにより、この空気調和機では、冷房時の室内の温度分布の偏りを軽減することができる。
【００１０】
請求項５に記載の空気調和機は、請求項２から４のいずれかに記載の空気調和機であって、本体ケーシングは、下方へと吹き出す空気が通る下吹出し口を有する。そして、この空気調和機は、暖房時には、本体ケーシング内へと取り込まれた流動空気を下吹出し口から吹き出させる。
この空気調和機では、暖房時には、本体ケーシング内へと取り込まれた流動空気が下吹出し口から吹き出す。下吹出し口から吹き出た暖房時の暖かい空気は、室内の下部から上部へと上昇しながら室内の広い範囲を暖める。このため、この空気調和機では、暖房時の暖かい空気が天井付近に滞留することを抑えることができる。これにより、この空気調和機では、暖房時の室内の温度分布の偏りを軽減することができる。
【００１１】
請求項６に記載の空気調和機は、請求項１から５のいずれかに記載の空気調和機であって、ガイドをさらに備える。ガイドは、第１輻射パネルに沿って流動する流動空気を本体ケーシング内へ向けて案内する。
この空気調和機では、第１輻射パネルに沿って流動する流動空気が、ガイドによって本体ケーシング内へ向けて案内される。例えば、冷房時には第１輻射パネルが冷却されることにより、第１輻射パネルに沿って下方へと流動する流動空気が生じる。また、暖房時には第１輻射パネルが加熱されることにより、第１輻射パネルに沿って上方へと流動する流動空気が生じる。そして、この空気調和機では、このような流動空気が本体ケーシング内へ向けて案内される。このため、この空気調和機では、上記のような流動空気が床面付近や天井面付近等に滞留することを抑えることができる。これにより、この空気調和機では、室内の温度分布の偏りを軽減することができる。
【００１２】
請求項７に記載の空気調和機は、請求項６に記載の空気調和機であって、ガイドは、第１輻射パネルの下方を覆うように設けられる。
この空気調和機では、ガイドは、第１輻射パネルの下方を覆うように設けられる。冷房時には、第１輻射パネルが冷却されることにより冷たい流動空気が第１輻射パネルに沿って下方へと流動する。この空気調和機では、このような流動空気が、第１輻射パネルの下方でガイドによって本体ケーシング内へと向けて案内される。これにより、この空気調和機では、冷房時に第１輻射パネルに沿って流動する流動空気を本体ケーシング内へ向けて案内することができる。
【００１３】
請求項８に記載の空気調和機は、請求項７に記載の空気調和機であって、ガイドは、第１輻射パネルから生じるドレン水を受け取るドレンパンを兼ねる。
この空気調和機では、ガイドは、輻射パネルから生じるドレン水を受け取るドレンパンを兼ねる。このため、この空気調和機では、部品点数の増加を抑制することができる。
【００１４】
請求項９に記載の空気調和機は、請求項６に記載の空気調和機であって、ガイドは、第１輻射パネルの上方を覆うように設けられる。
この空気調和機では、ガイドは、第１輻射パネルの上方を覆うように設けられる。暖房時には、第１輻射パネルが加熱されることにより暖かい流動空気が第１輻射パネルに沿って上方へと流動する。この空気調和機では、このような流動空気が第１輻射パネルの上方でガイドによって本体ケーシング内へと向けて案内される。これにより、この空気調和機では、暖房時に第１輻射パネルに沿って流動する流動空気を本体ケーシング内へ向けて案内することができる。
【００１５】
請求項１０に記載の空気調和機は、請求項４に記載の空気調和機であって、ガイドを備える。ガイドは、第１輻射パネルの上方を覆うように設けられ、第１輻射パネルに沿って流動する流動空気を本体ケーシング内へ向けて案内すると共に上吹出し口から吹き出された空気を案内する。
この空気調和機では、ガイドが、第１輻射パネルに沿って流動する流動空気を本体ケーシング内へ向けて案内すると共に、本体ケーシングの上吹出し口から吹き出された空気を案内する。このため、本体ケーシング内への案内するガイドと上吹出し口から吹き出された空気の案内するガイドとの両方の機能を一つのガイドで果たすことができる。これにより、この空気調和機では、部品点数の増加を抑制することができる。
【００１６】
請求項１１に記載の空気調和機は、請求項１から５のいずれかに記載の空気調和機であって、第２輻射パネルをさらに備える。第２輻射パネルは、第１輻射パネルとは別体に形成され、第１輻射パネルに沿って流動する流動空気を本体ケーシング内へ向けて案内するように配置される。
この空気調和機では、第１輻射パネルに沿って流動する流動空気が、第２輻射パネルによって本体ケーシング内へ向けて案内される。例えば、冷房時には第１輻射パネルが冷却されることにより、第１輻射パネルに沿って下方へと流動する流動空気が生じる。また、暖房時には第１輻射パネルが加熱されることにより、第１輻射パネルに沿って上方へと流動する流動空気が生じる。そして、この空気調和機では、このような流動空気が、第２輻射パネルによって本体ケーシング内へ向けて案内される。このため、この空気調和機では、上記のような流動空気が床面付近や天井面付近等に滞留することを抑えることができる。これにより、この空気調和機では、室内の温度分布の偏りを軽減することができる。
【００１７】
請求項１２に記載の空気調和機は、請求項１１に記載の空気調和機であって、第２輻射パネルは第１輻射パネルの下方に配置される。
この空気調和機では、第２輻射パネルは、第１輻射パネルの下方に配置される。冷房時には、第１輻射パネルが冷却されることにより、冷たい流動空気が第１輻射パネルに沿って下方へと流動する。この空気調和機では、このような流動空気が、第１輻射パネルの下方で第２輻射パネルによって本体ケーシング内へと向けて案内される。これにより、この空気調和機では、冷房時に第１輻射パネルに沿って流動する流動空気を本体ケーシング内へ向けて案内することができる。
【００１８】
請求項１３に記載の空気調和機は、請求項１２に記載の空気調和機であって、冷房時には第１輻射パネルの下方に配置された第２輻射パネルを暖める。
この空気調和機では、冷房時には第１輻射パネルの下方に配置された第２輻射パネルが暖められる。冷房時には、第１輻射パネルが冷却されて冷たい空気が、第１輻射パネルに沿って下方へと流動する。このとき、第１輻射パネルの下方に配置された第２輻射パネルが暖められると、下方へと流動する冷たい空気の流れが第２輻射パネルの熱によって抑制される。これにより、この空気調和機では、冷房時の室内の温度分布の偏りを軽減することができる。
【００１９】
請求項１４に記載の空気調和機は、請求項１１に記載の空気調和機であって、第２輻射パネルは第１輻射パネルの上方に配置される。
この空気調和機では、第２輻射パネルは、第１輻射パネルの上方に配置される。暖房時には、第１輻射パネルが加熱されることにより、第１輻射パネルに沿って上方へと流動する暖かい流動空気が生じる。この空気調和機では、このような流動空気が第１輻射パネルの上方で第２輻射パネルによって本体ケーシング内へと向けて案内される。これにより、この空気調和機では、暖房時に第１輻射パネルに沿って流動する流動空気を本体ケーシング内へ向けて案内することができる。
【００２０】
請求項１５に記載の空気調和機は、請求項１４に記載の空気調和機であって、暖房時には第１輻射パネルの上方に配置された第２輻射パネルを冷却する。
この空気調和機では、暖房時には第１輻射パネルの上方に配置された第２輻射パネルが冷却される。暖房時には、第１輻射パネルが加熱されて、暖かい空気が第１輻射パネルに沿って上方へと流動する。このとき、第１輻射パネルの上方に配置された第２輻射パネルが冷却されると、上方へと流動する暖かい空気の流れが第２輻射パネルの冷熱によって抑制される。これにより、この空気調和機では、暖房時の室内の温度分布の偏りを軽減することができる。
【００２１】
請求項１６に記載の空気調和機は、請求項１から５のいずれかに記載の空気調和機であって、第１輻射パネルは、隙間を隔てて配置される複数の分割輻射パネルにより構成される。
この空気調和機では、第１輻射パネルは、隙間を隔てて配置される複数の分割輻射パネルにより構成される。このため、第１輻射パネルに沿って流動する流動空気を、第１輻射パネルを構成する複数の分割輻射パネルの隙間から本体ケーシング内へ向けて案内することができる。従って、この空気調和機では、流動空気が床面付近や天井面付近等に滞留することを抑えることができる。これにより、この空気調和機では、室内の温度分布の偏りを軽減することができる。
【００２２】
請求項１７に記載の空気調和機は、請求項１６に記載の空気調和機であって、複数の分割輻射パネルは上下方向に並べて配置されており、冷房時には、複数の分割輻射パネルの内、下方に配置された分割輻射パネルを暖める。
この空気調和機では、冷房時には第１輻射パネルを構成する複数の分割輻射パネルの内、下方に配置された分割輻射パネルが暖められる。冷房時には第１輻射パネルが冷却されて、冷たい空気が第１輻射パネルに沿って下方へと流動する。このとき、下方に配置された分割輻射パネルが暖められると、下方へと流動する冷たい空気の流れが下方に配置された分割輻射パネルの熱により抑制される。これにより、この空気調和機では、冷房時の室内の温度分布の偏りを軽減することができる。
【００２３】
請求項１８に記載の空気調和機は、請求項１６に記載の空気調和機であって、複数の分割輻射パネルは上下方向に並べて配置されており、暖房時には複数の分割輻射パネルの内、上方に配置された分割輻射パネルを冷却する。
この空気調和機では、暖房時には第１輻射パネルを構成する複数の分割輻射パネルの内、上方に配置された分割輻射パネルが冷却される。暖房時には第１輻射パネルが加熱されて、暖かい空気が第１輻射パネルに沿って上方へと流動する。このとき、上方に配置された分割輻射パネルが冷却されると、上方へと流動する暖かい空気の流れが上方に配置された分割輻射パネルの冷熱によって抑制される。これにより、この空気調和機では、暖房時の室内の温度分布の偏りを軽減することができる。
【００２４】
請求項１９に記載の空気調和機は、主輻射パネルと熱源装置とを備える。主輻射パネルは、輻射によって空気調和を行う。熱源装置は、主輻射パネルの上下方向の端部近傍に配置され、主輻射パネルとは独立して温度制御されることが可能である。
この空気調和機では、熱源装置が主輻射パネルの上下方向の端部近傍に配置されており、主輻射パネルとは独立して熱源装置の温度制御が可能である。このため、この空気調和機では、主輻射パネルに沿って流動する空気を抑制するように熱源装置を温度制御することが可能である。例えば、冷却されている主輻射パネルに対して、熱源装置を暖める温度制御が可能である。この場合、主輻射パネルに沿って下方へと流動する冷たい空気の流れが、熱源装置の熱によって抑制される。また、暖められている主輻射パネルに対して、熱源装置を冷却する温度制御が可能である。この場合、主輻射パネルに沿って上方へと流動する暖かい空気の流れが熱源装置の冷熱によって抑制される。このように、この空気調和機では、主輻射パネルに沿って流動する空気を抑制するように熱源装置の温度制御を行うことによって、主輻射パネルに沿って流動する空気が床面付近や天井面付近等に滞留することを抑えることができる。これにより、この空気調和機では、室内の温度分布の偏りを軽減し快適性を向上させることができる。
【００２５】
請求項２０に記載の空気調和機は、請求項１９に記載の空気調和機であって、熱源装置は、主輻射パネルとは別体に形成される副輻射パネルである。
この空気調和機では、主輻射パネルとは別体に形成された副輻射パネルの温度制御を主輻射パネルとは独立して行うことにより、主輻射パネルに沿って流動する空気の流れを抑制することが可能である。このため、この空気調和機では、主輻射パネルに沿って流動する空気が床面付近や天井面付近等に滞留することを抑えることができる。これにより、この空気調和機では、室内の温度分布の偏りを軽減することができる。
【００２６】
請求項２１に記載の空気調和機は、請求項１９または２０に記載の空気調和機であって、主輻射パネルと熱源装置とには、同一の冷媒回路を循環する冷媒が流れる。
主輻射パネルに沿って流動する空気を抑制するような熱源装置の温度制御が行われると、温度の異なる２つの空気が混ざり合い熱交換が行われる。この場合、この空気調和機では、主輻射パネルと熱源装置とには同一の冷媒回路を循環する冷媒が流れるため、同一の冷媒回路内で熱が授受されることとなり熱回収が行われる。例えば、主輻射パネルに沿って上昇する暖かい空気を抑制するために熱源装置を冷却する温度制御が行われると、上昇する暖かい空気の熱が熱源装置によって回収されることとなる。このように、この空気調和機では、主輻射パネルに沿って下方または上方へと流動する空気から熱を回収することができる。これにより、この空気調和機では、室内の温度分布の偏りを軽減すると共に輻射による空気調和の効率を向上させることができる。
【００２７】
請求項２２に記載の空気調和機は、請求項１９から２１のいずれかに記載の空気調和機であって、熱源装置は主輻射パネルの下端部近傍に配置されている。そして、この空気調和機は、冷房時には前記熱源装置を暖める。
この空気調和機では、冷房時には主輻射パネルの下端部近傍に配置された熱源装置が暖められる。冷房時には主輻射パネルが冷却されて、冷たい空気が主輻射パネルに沿って下方へと流動する。このとき、下端部近傍に配置された熱源装置が暖められると、下方へと流動する冷たい空気が熱源装置の熱によって抑制される。これにより、この空気調和機では、冷房時の室内の温度分布の偏りを軽減することができる。
【００２８】
請求項２３に記載の空気調和機は、請求項１９から２１のいずれかに記載の空気調和機であって、熱源装置は主輻射パネルの上端部近傍に配置されている。そして、この空気調和機は、暖房時には熱源装置を冷却する。
この空気調和機では、暖房時には主輻射パネルの上端部近傍に配置された熱源装置が冷却される。暖房時には主輻射パネルが加熱されて、暖かい空気が主輻射パネルに沿って上方へと流動する。このとき、上端部近傍に配置された熱源装置が冷却されると、上方へと流動する暖かい空気が熱源装置の冷熱により抑制される。これにより、この空気調和機では、暖房時の室内の温度分布の偏りを軽減することができる。
【００２９】
【発明の実施の形態】
＜第１実施形態＞
〔空気調和機の全体構成〕
本発明の第１実施形態にかかる空気調和機１ａの全体構成及び冷媒回路を表す概略図を図１に示す。この空気調和機１ａは、輻射による輻射式空気調和と、熱交換器を通った空気を室内へ吹き出させる対流式空気調和との両方を行うことができる。空気調和機１ａは、主として室内機２ａと室外機３とにより構成されている。また、室内機２ａと室外機３とに亘って冷媒回路５ａが設けられている。この冷媒回路５ａは、主として輻射パネル２３ａ、室内熱交換器２０、アキュムレータ３１、圧縮機３２、四路切換弁３３、室外熱交換器３０及び電動膨張弁３４により構成される。
【００３０】
室内機２ａに設けられている輻射パネル２３ａは、室内熱交換器２０に対して直列に接続されている。輻射パネル２３ａには、冷房時には低温の冷媒が流れ、暖房時には高温の冷媒が流れる。輻射パネル２３ａは、冷媒により加熱又は冷却されて、輻射によって室内の冷暖房等の空気調和を行う。室内熱交換器２０は、長さ方向両端で複数回折り返されてなる伝熱管と、伝熱管が挿通される複数のフィンとからなり、接触する空気との間で熱交換を行う。また、室内機２ａには、室内空気を吸い込んで室内熱交換器２０との間で熱交換を行った後の空気を室内に排出するための遠心ファン２１が設けられている。この遠心ファン２１は、室内機２ａ内に設けられる室内ファンモータ２２によって回転駆動される。
【００３１】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して輻射パネル２３ａの一端と接続されている。また、室外機３には、室外熱交換器３０での熱交換後の空気を外部に排出するためのプロペラファン３８が設けられている。このプロペラファン３８は、室外ファンモータ３９によって回転駆動される。
【００３２】
〔室内機の構成〕
図２に室内機２ａの正面図、図３に室内機２ａの側面断面図を示す。
室内機２ａは、室内の壁面に掛けられる壁掛け型のものであり、輻射式空気調和と対流式空気調和とを併用することができる。室内機２ａは、輻射パネル２３ａ、本体ケーシング２４、室内ファンモータ２２、遠心ファン２１、室内熱交換器２０、吸込みガイド２５等により構成されている。
【００３３】
（輻射パネル）
輻射パネル２３ａは、室内機２ａの正面に設けられており、室内の壁面に略平行に配置されている。輻射パネル２３ａは、室内機２ａが配置される室内の居住空間に面しており、輻射により室内の冷暖房を行うことができる。輻射パネル２３ａは、主として輻射パネル用伝熱管２３０ａと、輻射パネル用伝熱管２３０ａを前後から挟む金属板２３１ａとにより構成されている。輻射パネル用伝熱管２３０ａは、輻射パネル２３ａの内部で左右方向に複数回折り返されており、輻射パネル２３ａの全面に亘って設けられている。この輻射パネル用伝熱管２３０ａに冷媒が流れることにより、金属板２３１ａが冷却又は加熱される。そして、冷却又は加熱された金属板２３１ａの輻射により、室内の冷暖房が行われる。
【００３４】
なお、輻射パネル２３ａを構成する金属板２３１ａは、一体的に形成されたものに限らず、複数の金属板を繋ぎ合わせたものであってもよい。また、輻射パネル２３ａを構成するものは金属板２３１ａに限らず他の材料であってもよく、輻射率を調整するために表面を加工したものでも他の材料をコーティングしたものでもよい。
【００３５】
（本体ケーシング）
本体ケーシング２４は、内部に室内ファンモータ２２、遠心ファン２１、室内熱交換器２０を収容している。本体ケーシング２４は、輻射パネル２３ａの背面側に輻射パネル２３ａの中心より下側に偏心して設けられている。本体ケーシング２４の前面の面積は輻射パネル２３ａよりも小さくなっており、本体ケーシング２４の前面は輻射パネル２３ａによって覆われている。この本体ケーシング２４の前面には前面開口２４１が設けられており、本体ケーシング２４の内部と輻射パネル２３ａの背面側の空間とは、前面開口２４１を通して連通している。なお、この前面開口２４１には、通過する空気から埃等を除去するエアフィルター２４２が取り付けられている。
【００３６】
また、本体ケーシング２４の両側面には、本体ケーシング２４内に取り込まれる室内の空気が通る側面吸気口２４３がそれぞれ設けられている。
本体ケーシング２４の上面及び下面には、それぞれ上吹出し口２４４と下吹出し口２４５とが設けられている。上吹出し口２４４は上方へと吹出す空気が通る開口であり、下吹出し口２４５は下方へと吹出す空気が通る開口である。上吹出し口２４４及び下吹出し口２４５には、各吹出し口２４４，２４５から吹出す空気を案内する上水平フラップ２４６及び下水平フラップ２４７がそれぞれ取り付けられている。この上水平フラップ２４６及び下水平フラップ２４７は、室内機２ａの左右方向に平行な軸を中心に回動自在に設けられている。各水平フラップ２４６，２４７は、フラップモータ２４８（図４参照）によって回動することにより、各吹出し口２４４，２４５を開閉することができる。
【００３７】
（室内ファンモータ、室内熱交換器及び遠心ファン）
室内ファンモータ２２は、本体ケーシング２４の背面を構成する底フレーム２４９に取り付けられており、遠心ファン２１を駆動する。室内熱交換器２０は、本体ケーシング２４の前面開口２４１と遠心ファン２１との間に配置されている。遠心ファン２１は、前面開口２４１から室内熱交換器２０を通り各吹出し口２４４，２４５へと到る空気の流れを生成する。このため、遠心ファン２１は、輻射パネル２３ａに沿って流動する空気を、本体ケーシング２４内に取り込み上吹出し口２４４または下吹出し口２４５から室内へと吹き出させることができる。また、遠心ファン２１は、側面吸気口２４３から室内熱交換器２０を通り各吹出し口２４４，２４５へと到る空気の流れを生成することもできる。これにより、遠心ファン２１は、室内の空気を側面吸気口２４３から本体ケーシング２４内へと取り込み上吹出し口２４４または下吹出し口２４５から室内へと吹き出させることができる。室内熱交換器２０は、本体ケーシング２４内に取り込まれた空気と冷媒との間で熱交換を行い、室内へと吹き出す空気を冷却または加熱することができる。室内熱交換器２０の下方には、熱交換時に室内熱交換器２０の表面に発生する水滴を受け取るための熱交用ドレンパン２０１が設けられている。
【００３８】
なお、上記のような空気の流れを生成するのは遠心ファン２１に限らずクロスフローファンなどの他の種類の送風装置であってもよい。
（吸込みガイド）
吸込みガイド２５は、輻射パネル２３ａに沿って流動する空気を本体ケーシング２４内へ向けて案内する部材であり、上吸込みガイド２６、下吸込みガイド２７及び吸込みガイド本体２８により構成されている。
【００３９】
上吸込みガイド２６は、暖房時に輻射パネル２３ａに沿って上方へと流動する暖かい空気を、下方の本体ケーシング２４の前面開口２４１へ向けて案内する。上吸込みガイド２６は、輻射パネル２３ａの上方を覆うように設けられている。上吸込みガイド２６は、輻射パネル２３ａの左右方向に平行な軸を中心に、輻射パネル２３ａの先端の後方から輻射パネル２３ａの上方を通り輻射パネル２３ａの前方へと湾曲している。また、上吸込みガイド２６の先端は室内機２ａの前斜め上方を向いている。暖房時に輻射パネル２３ａに沿って上方へと流動する空気は、上吸込みガイド２６の内側（輻射パネル２３ａ側）を伝って輻射パネル２３ａの背面側へと案内され、吸込みガイド本体２８を伝って本体ケーシング２４の前面開口２４１から本体ケーシング２４内へと取り込まれる。
【００４０】
下吸込みガイド２７は、冷房時に輻射パネル２３ａに沿って下方へと流動する暖かい空気を、上方の本体ケーシング２４の前面の開口へと案内する。下吸込みガイド２７は、底板２７１、前板２７２、背板２７３及び側板（図示せず）を有しており、上方が開放されている。底板２７１は、輻射パネル２３ａの下端の下方に位置しており、輻射パネル２３ａの幅よりも左右方向に長い形状を有している。前板２７２は、底板２７１の前端から上方へ起立しており、その先端が輻射パネル２３ａの下端よりも若干上に位置するように設けられている。背板２７３は、底板２７１の後端から上方へ起立しており、その先端が本体ケーシング２４の前面開口２４１の下端へと繋がっている。前板２７２及び背板２７３は、上方向けて広がるように設けられている。側板は、下吸込みガイド２７の側面を閉じている。冷房時に輻射パネル２３ａに沿って下方へと流動する空気は、下吸込みガイド２７の内側（輻射パネル２３ａ側）を伝って輻射パネル２３ａの背面側へと送られ、本体ケーシング２４の前面開口２４１から本体ケーシング２４内へと取り込まれる。また、下吸込みガイド２７は、輻射パネル２３ａの表面に発生する水滴を受け取るためのドレンパンとしての役割も果たすことができる。このため、下吸込みガイド２７と上述した熱交用ドレンパン２０１には、受け取った水滴を外部に排出するためのドレンホース（図示せず）が取り付けられている。冷房運転時には、室内熱交換器２０や輻射パネル２３ａでは、接触する空気中に含まれる水分が凝縮して水滴となって滴下する。下吸込みガイド２７と熱交用ドレンパン２０１とは、このような水滴を受け取ってドレンホースによって排水するように構成されている。
【００４１】
〔制御部の構成〕
図４に示すように、空気調和機１ａには、圧縮機３２、四路切換弁３３、電動膨張弁３４、プロペラファン３８、室内ファンモータ２２、フラップモータ２４８、リモコン７０等と接続される制御部６が設けられている。リモコン７０に入力された空気調和機１ａの運転内容は、制御部６へと送られ、制御部６は、各構成に対して制御信号を出力することにより空気調和機１ａの運転を制御する。
【００４２】
制御部６は、フラップモータ２４８を制御して上水平フラップ２４６及び下水平フラップ２４７を回動させることにより、運転内容に適した空気の吹き出しを行わせる。具体的には、制御部６は、冷房運転時には、下吹出し口２４５を下水平フラップ２４７により閉じ、上吹出し口２４４を開く。これにより、上方ヘと吹き出す冷たい空気の流れが生成される。また、暖房時には、制御部６は、上吹出し口２４４を閉じて下吹出し口２４５を開く。これにより、下方へと吹き出す暖かい空気の流れが生成される。なお、冷房時及び暖房時の空気の流れの詳細については以下の〔動作及び空気の流れ〕で説明する。
【００４３】
〔動作及び空気の流れ〕
空気調和機１ａでは、輻射式空気調和と共に対流式空気調和が行われる。輻射式空気調和では、輻射パネル２３ａの輻射パネル用伝熱管２３０ａに冷媒が流れることにより、輻射パネル２３ａが冷却又は加熱される。そして、輻射パネル２３ａの輻射により空気調和が行われる。対流式空気調和では、室内熱交換器２０に冷媒が流れ、室内から取り込んだ空気との間で熱交換が行われる。そして、冷却または加熱された空気が室内へと吹き出す。この空気調和機１ａでは、このような輻射式空気調和と対流式空気調和とが併用される。
【００４４】
（冷房運転時）
図５に示すように、冷房運転時には、制御部６は、フラップモータ２４８を制御して、下吹出し口２４５を下水平フラップ２４７により閉じて上吹出し口２４４を開く。そして、圧縮機３２、四路切換弁３３、電動膨張弁３４、プロペラファン３８、室内ファンモータ２２が制御され冷房運転が行われる。
【００４５】
輻射式空気調和では、輻射パネル２３ａが冷却されることにより、その輻射により室内の冷房が行われる。
このとき、輻射パネル２３ａの近傍の空気が冷却されることにより、自然対流が発生して空気が流動する。すなわち、冷却された輻射パネル２３ａの近傍の冷たい空気が、輻射パネル２３ａに沿って下方へと流動する（矢印Ａ１及び矢印Ａ２）。
【００４６】
輻射パネル２３ａの前面側を下方へ向けて流動する空気（矢印Ａ１）は、輻射パネル２３ａの下端の下方で下吸込みガイド２７により輻射パネル２３ａの背面側へと案内される（矢印Ａ３）。輻射パネル２３ａの背面側へ案内された空気は、遠心ファン２１が生成する空気の流れにのって、本体ケーシング２４の前面開口２４１から本体ケーシング２４内へと取り込まれる（矢印Ａ４）。一方、輻射パネル２３ａの背面側を下方へ向けて流動する空気（矢印Ａ２）は、そのまま遠心ファン２１が生成する空気の流れにのって、本体ケーシング２４の前面開口２４１から本体ケーシング２４内へと取り込まれる（矢印Ａ４）。
【００４７】
対流式空気調和では、室内熱交換器２０を通って熱交換された空気が室内へと吹き出されて、冷却された空気の対流が作り出される。この空気調和機１ａでは、遠心ファン２１により、室内の室内空気が側面吸気口２４３から本体ケーシング２４内に取り込まれ、輻射パネル２３ａに沿って流動する冷たい空気が前面開口２４１から本体ケーシング２４内に取り込まれる。そして、室内空気と流動空気とは、共に室内熱交換器２０を通り上吹出し口２４４から上方へ向けて吹き出される（矢印Ａ５）。上吹出し口２４４から吹き出た空気は、上吸込みガイド２６の外側（背面側）に沿って案内され、上吸込みガイド２６の先端の接線方向、すなわち室内機２ａの前斜め上方へ向けて室内の居住空間へと吹き出す（矢印Ａ６）。
【００４８】
（暖房運転時）
図６に示すように、暖房運転時には、制御部６は、フラップモータ２４８を制御して、上吹出し口２４４を上水平フラップ２４６により閉じ、下吹出し口２４５を開く。そして、圧縮機３２、四路切換弁３３、電動膨張弁３４、プロペラファン３８、室内ファンモータ２２が制御され、暖房運転が行われる。
【００４９】
輻射式空気調和では、輻射パネル２３ａが加熱されることにより、その輻射により室内の暖房が行われる。
このとき、輻射パネル２３ａの近傍の空気が加熱されることにより、自然対流が発生して空気が流動する。すなわち、加熱された輻射パネル２３ａの近傍の空気は、輻射パネル２３ａに沿って上方へと流動する（矢印Ａ７）。
【００５０】
輻射パネル２３ａの前面側を上方へ向けて流動する空気（矢印Ａ７）は、輻射パネル２３ａの上端の上方で上吸込みガイド２６により輻射パネル２３ａの背面側へと案内される（矢印Ａ８）。背面側へと案内された空気は、遠心ファン２１が生成する空気の流れにのって、本体ケーシング２４の前面開口２４１から本体ケーシング２４内へと取り込まれる（矢印Ａ９）。
【００５１】
輻射パネル２３ａの背面側を上方へ向けて流動する空気は、そのまま遠心ファン２１が生成する空気の流れにのって、本体ケーシング２４の前面開口２４１から本体ケーシング２４内へと取り込まれる（矢印Ａ１０）。
対流式空気調和では、室内熱交換器２０を通って熱交換された空気が室内へと吹き出されて、暖められた空気の対流が作り出される。この空気調和機１ａでは、遠心ファン２１により、室内の室内空気が側面吸気口２４３から本体ケーシング２４内に取り込まれ、輻射パネル２３ａに沿って流動する暖かい空気が前面開口２４１から本体ケーシング２４内に取り込まれる。そして、室内熱交換器２０を通った室内空気と流動空気とは、共に下吹出し口２４５から下方へ向けて吹き出る（矢印Ａ１１）。
【００５２】
〔特徴〕
（１）
この空気調和機１ａでは、冷房時に輻射パネル２３ａに沿って下方へと流動する空気が、下吸込みガイド２７によって本体ケーシング２４内へ向けて案内されて本体ケーシング２４内に取り込まれる。このため、冷房時の冷たい空気が輻射パネル２３ａに沿って下降して室内の足元空間へと流れることが防止される。これにより、この空気調和機１ａでは、足元のコールドドラフトが防止される。
【００５３】
また、この空気調和機１ａでは、暖房時に輻射パネル２３ａに沿って上方へと流動する空気が、上吸込みガイド２６によって本体ケーシング２４内へ向けて案内されて本体ケーシング２４内に取り込まれる。このため、暖房時の暖かい空気が輻射パネル２３ａに沿って上昇して室内の居住者に直接当たることが防止される。これにより、この空気調和機１ａでは、暖房時のドラフトが防止される。
【００５４】
上記のように、この空気調和機１ａでは、冷房時および暖房時のドラフトが防止され、室内の快適性が向上する。
（２）
この空気調和機１ａでは、冷房時に輻射パネル２３ａに沿って下方へと流動する空気が、下吸込みガイド２７によって本体ケーシング２４内へ向けて案内されて本体ケーシング２４内に取り込まれる。このため、冷房時の冷たい空気が輻射パネル２３ａに沿って下降して室内の足元空間へ滞留することが防止される。
【００５５】
また、この空気調和機１ａでは、暖房時に輻射パネル２３ａに沿って上方へと流動する空気が、上吸込みガイド２６によって本体ケーシング２４内へ向けて案内されて本体ケーシング２４内に取り込まれる。このため、暖房時の暖かい空気が輻射パネル２３ａに沿って上昇して室内の上部に滞留することが防止される。
上記のように、この空気調和機１ａでは冷房時の冷たい空気や暖房時の暖かい空気が室内の一部に偏って滞留することが防止され、室内の温度分布が向上する。
【００５６】
また、この空気調和機１ａでは、室内の温度分布が向上するため、輻射パネル２３ａを過剰に冷却または加熱せずとも室内を十分に冷房または暖房することができる。これにより、この空気調和機１ａでは省エネ性が向上している。
（３）
この空気調和機１ａでは、輻射パネル２３ａの近傍の空気は、本体ケーシング２４内へと取り込まれ、室内熱交換器２０を通り、室内へと吹き出す。すなわち、輻射パネル２３ａによって冷却された空気や加熱された空気が、回収されて室内の冷房や暖房に利用される。これにより、この空気調和機１ａでは省エネ性が向上している。
【００５７】
（４）
この空気調和機１ａでは、本体ケーシング２４の上吹出し口２４４から吹き出た空気は、上吹き出しガイド２６の外側（背面側）によって室内機２ａの前方斜め方へ向けて案内される。このため、冷房時に吹き出す空気の前方到達距離が増大し、冷気が室内の広い範囲により十分に拡散する。これにより、この空気調和機１ａは、居住者の快適性をより向上させることができる。
【００５８】
また、上吹き出しガイド２６は、冷房時に輻射パネル２３ａに沿って上方へと流動する流動空気を、その内側（前面側）によって本体ケーシング２４内へ向けて案内することもできる。このため、上吹き出しガイド２６は、本体ケーシング２４内へと案内するガイドと、上吹出し口２４４から吹き出た空気を案内するガイドとの両方の機能を果たすことができる。これにより、この空気調和機１ａでは、部品点数の増加が抑制されている。
【００５９】
＜第２実施形態＞
〔構成及び空気の流れ〕
本発明の第２実施形態にかかる空気調和機１ｂの室内機２ｂの側面断面図を図７に示す。この室内機２ｂでは、輻射パネル２３ｂは、第１輻射パネル２３１ｂと第２輻射パネル２３２ｂ、２３３ｂとにより構成されている。第１輻射パネル２３１ｂは、第１実施形態にかかる輻射パネル２３ａを高さ方向に若干短くしたものであり、室内の壁面に略平行に配置されている。第２輻射パネル２３２ｂ、２３３ｂは、第１輻射パネル２３１ｂとは別体に形成され、第１輻射パネル２３１ｂに沿って流動する空気を本体ケーシング２４内へ向けて案内するように配置されている。第２輻射パネル２３２ｂ、２３３ｂは、上第２輻射パネル２３２ｂと下第２輻射パネル２３３ｂとにより構成されており、それぞれ第１輻射パネル２３１ｂの上下方向の端部近傍に配置されている。上第２輻射パネル２３２ｂは、第１輻射パネル２３１ｂの上方に設けられており、上端が前方へと下端が後方へと傾斜するように配置されている。下第２輻射パネル２３３ｂは、第１輻射パネル２３１ｂの下方に設けられており、下端が前方へと上端が後方へと傾斜するように配置されている。
【００６０】
空気調和機１ｂの全体構成及び冷媒回路を表す概略図を図８に示す。この空気調和機１ｂは冷媒回路５ｂを有している。この冷媒回路５ｂにおいては、第１輻射パネル２３１ｂを挟んで直列に上第２輻射パネル２３２ｂ及び下第２輻射パネル２３３ｂが設けられている。上第２輻射パネル２３２ｂはさらに室内熱交換器２０の一端と接続され、室内熱交換器２０の他端は配管４２及びガス閉鎖弁３７を介して四路切換弁３３に接続されている。下第２輻射パネル２３３ｂは、さらに配管４１及び液閉鎖弁３６を介して電動膨張弁３４に接続されている。このように、第１輻射パネル２３１ｂと上第２輻射パネル２３２ｂ及び下第２輻射パネル２３３ｂとには同一の冷媒回路を循環する冷媒が流れるように構成されている。また、第１輻射パネル２３１ｂと下第２輻射パネル２３３ｂとの間には第２電動膨張弁２９が設けられている。このため、第２電動膨張弁２９を制御することにより、下第２輻射パネル２３３ｂは第１輻射パネル２３１ｂとは独立して温度制御されることが可能となっている。
【００６１】
図７に示すように、この空気調和機１ｂの室内機２ｂでは、暖房時には第１輻射パネル２３１ｂに沿って上昇する暖かい空気が、上第２輻射パネル２３２ｂによって本体ケーシング２４内へ向けて案内される。第１輻射パネル２３１ｂに沿って上昇する暖かい空気は、後方へ傾いた上第２輻射パネル２３２ｂの下端に沿って第１輻射パネル２３１ｂの背面側へと案内される（矢印Ａ１２）。そして、第１輻射パネル２３１ｂの背面側へと案内された空気は、遠心ファン２１により生成される空気の流れにのって、本体ケーシング２４の前面開口２４１から本体ケーシング２４内へと取り込まれる。また、冷房時には第１輻射パネル２３１ｂに沿って下降する冷たい空気は、下第２輻射パネル２３３ｂによって本体ケーシング２４内へ向けて案内される。第１輻射パネル２３１ｂに沿って下降する冷たい空気は、後方へと傾いた下第２輻射パネル２３３ｂの上端に沿って第１輻射パネル２３１ｂの背面側へと案内される（矢印Ａ１３）。そして、第１輻射パネル２３１ｂの背面側へと案内された空気は、遠心ファン２１により生成される空気の流れにのって、本体ケーシング２４の前面開口２４１から本体ケーシング２４内へと取り込まれる。
【００６２】
また、制御部６は、冷房時に第１輻射パネル２３１ｂに沿って下降する冷たい空気の流れを緩和する制御をさらに行うことができる。具体的には、制御部６は、冷房時には電動膨張弁３４を全開にして第２電動膨張弁２９を絞る。これにより、下第２輻射パネル２３３ｂに熱い冷媒が流れて、下第２輻射パネル２３３ｂが加熱される。また、第２電動膨張弁２９の下流にある第１輻射パネル２３１ｂ及び上第２輻射パネル２３２ｂには冷たい冷媒が流れて、第１輻射パネル２３１ｂ及び上第２輻射パネル２３２ｂが冷却される。これにより、冷房時には、第１輻射パネル２３１ｂに沿って下方へと流動する空気の流れに加えて、加熱された下第２輻射パネル２３３ｂから上方へと流動する空気の流れが生じる。これにより、輻射パネル２３ｂに沿って下方へと流動する冷たい空気の流れが抑制される。
【００６３】
なお、上記とは逆に、暖房時に上第２輻射パネル２３２ｂを冷たい冷媒が流れて上第２輻射パネル２３２ｂが冷却されるような構成及び制御にしてもよい。この場合は、暖房時における、第１輻射パネル２３１ｂに沿って上方へと流動する暖かい空気の流れが抑制される。
他の構成や空気の流れについては第１実施形態に係る空気調和機１ａと同様である。
【００６４】
〔特徴〕
冷房時には、第１輻射パネル２３１ｂが冷却されることにより、冷たい空気が第１輻射パネル２３１ｂに沿って下方へと流動する。また、暖房時には、第１輻射パネル２３１ｂが加熱されることにより、暖かい空気が第１輻射パネル２３１ｂに沿って上方へと流動する。そして、この空気調和機１ｂでは、このような流動空気が上第２輻射パネル２３２ｂ又は下第２輻射パネル２３３ｂによって本体ケーシング２４内へ向けて案内される。このため、この空気調和機１ｂでは、第１実施形態にかかる空気調和機１ａと同様に、ドラフトの防止や室内の温度分布の向上などの効果を得ることができる。
【００６５】
また、この空気調和機１ｂでは、冷房時には第１輻射パネル２３１ｂの下方に配置された下第２輻射パネル２３３ｂが暖められることにより、冷たい空気が下方へと流動することを抑制することができる。これにより、この空気調和機１ｂでは、ドラフトの防止や室内の温度分布の向上などがより効果的に得られる。なお、上述したように、この空気調和機１ｂでは、加熱された下第２輻射パネル２３３ｂから生じる上方へと流動する空気の流れが、下方へと流動する冷たい空気の流れを抑制しているが、このような空気の流れが生じなくとも、下第２輻射パネル２３３ｂの熱によって下方へと流動する冷たい空気の流れを抑制することは可能である。
【００６６】
さらに、第１輻射パネル２３１ｂと下第２輻射パネル２３３ｂとには同一の冷媒回路を循環する冷媒が流れるように構成されているため、冷房時に下第２輻射パネル２３３ｂが暖められることにより、下方へと流動しようとする冷たい空気の冷熱が下第２輻射パネル２３３ｂによって回収される。これにより、この空気調和機１ｂでは、第１輻射パネル２３１ｂの輻射効率が向上している。暖房時に上第２輻射パネル２３２ｂを冷たい冷媒が流れて上第２輻射パネル２３２ｂが冷却されるような構成及び制御にした場合も同様である。
【００６７】
＜第３実施形態＞
〔構成〕
本発明の第３実施形態にかかる空気調和機１ｃの全体構成及び冷媒回路の概略図を図９に、室内機２ｃの側面断面図を図１０に示す。この空気調和機１ｃは、冷媒回路５ｃを有している。そして、室内機２ｃに配置される輻射パネル２３ｃは、複数の分割輻射パネル２３１ｃ，２３２ｃ，２３３ｃ，２３４ｃによって構成されている。図１０に示すように、分割輻射パネル２３１ｃ，２３２ｃ，２３３ｃ，２３４ｃは、それぞれ隙間を隔てて高さ方向に一列に並べられており、下から順に分割輻射パネル２３１ｃ、分割輻射パネル２３２ｃ、分割輻射パネル２３３ｃ、分割輻射パネル２３４ｃが配置されている。従って、分割輻射パネル２３４ｃは分割輻射パネル２３３ｃの上端部近傍に配置されており、分割輻射パネル２３１ｃは分割輻射パネル２３２ｃの下端部近傍に配置されている。また、図９に示すように、各分割輻射パネル２３１ｃ，２３２ｃ，２３３ｃ，２３４ｃは、それぞれ順に直列に接続されており、同一の冷媒回路を循環する冷媒が流れる。分割輻射パネル２３１ｃの一端は、配管４１、液閉鎖弁３６およびフィルタ３５を介して電動膨張弁３４に接続されている。分割輻射パネル２３４ｃの一端は、室内熱交換器２０の一端と接続されている。また、分割輻射パネル２３１ｃと分割輻射パネル２３２ｃとの間には、第２電動膨張弁２９が設けられており、分割輻射パネル２３１ｃは分割パネル２３２ｃ，２３３ｃ、２３４ｃとは独立して温度制御されることが可能となっている。
【００６８】
制御部６は、第２実施形態にかかる空気調和機２ｂと同様に、冷房時に輻射パネル２３ｃに沿って下降する冷たい空気の流れを緩和する制御をさらに行うことができる。すなわち、制御部６は、冷房時には電動膨張弁３４を全開にして第２電動膨張弁２９を絞る。これにより、複数の分割輻射パネル２３１ｃ，２３２ｃ，２３３ｃ，２３４ｃの内、最も下方に配置された分割輻射パネル２３１ｃに熱い冷媒が流れて、分割輻射パネル２３１ｃが加熱される。また、第２電動膨張弁２９の下流にある他の分割輻射パネル２３２ｃ，２３３ｃ，２３４ｃには冷たい冷媒が流れて、分割輻射パネル２３２ｃ，２３３ｃ，２３４ｃが冷却される。これにより、冷房時には、輻射パネル２３ｃに沿って下方へと流動する空気の流れに加えて、加熱された分割輻射パネル２３１ｃから上方へと流動する空気の流れが生じる。これにより、輻射パネル２３ｃに沿って下方へと流動する冷たい空気の流れが抑制される。
【００６９】
また、上記とは逆に、暖房時に複数の分割輻射パネル２３１ｃ，２３２ｃ，２３３ｃ，２３４ｃの内、最も上方に配置された分割輻射パネル２３４ｃに冷たい冷媒が流れて分割輻射パネル２３４ｃが冷却されるような構成及び制御にしてもよい。この場合は、暖房時における輻射パネル２３ｃに沿って上方へと流動する暖かい空気の流れが抑制される。
【００７０】
なお、図９及び図１０においては、分割輻射パネル２３１ｃ，２３２ｃ，２３３ｃ，２３４ｃはそれぞれ同一の長さを有しているが、異なる長さを有するものであってもよい。また、分割輻射パネル２３１ｃの配置は、上記のような高さ方向に一列に並んだ配置に限らず、左右方向に並んだ配置や左右方向及び高さ方向に並んだ配置等であってもよい。
【００７１】
他の構成については、第１実施形態に係る空気調和機１ａと同様である。
〔特徴〕
この空気調和機１ｃの室内機２ｃでは、輻射パネル２３ｃは、隙間を隔てて配置された複数の分割輻射パネル２３１ｃ，２３２ｃ，２３３ｃ，２３４ｃにより構成される。このため、輻射パネル２３ｃに沿って流動する空気は、複数の分割輻射パネル２３１ｃ，２３２ｃ，２３３ｃ，２３４ｃの間の隙間から本体ケーシング２４内へ向けて案内される（矢印Ａ１４）。この場合、輻射パネル２３ｃに沿って流動する空気は、輻射パネル２３ｃの前面から輻射パネル２３ｃの上端や下端を経由して輻射パネル２３ｃの背面側へと案内される場合と比べて、短い距離で本体ケーシング２４の前面開口２４１へと到達することができる。従って、この空気調和機１ｃの室内機２ｃでは、輻射パネル２３ｃに沿って流動する空気をより容易に本体ケーシング２４の前面開口２４１から取り込むことができる。
【００７２】
なお、図１０においては冷房時の空気の流れを表しているが、暖房時においても同様に、輻射パネル２３ｃに沿って流動する空気は、分割輻射パネル２３１ｃの隙間から本体ケーシング２４内へ向けて案内される。
また、この空気調和機１ｃでは、冷房時には最も下方に配置された分割輻射パネル２３１ｃが暖められることにより、冷たい空気が下方へと流動することを抑制することができる。これにより、この空気調和機１ｃでは、ドラフトの防止や室内の温度分布の向上などがより効果的に得られる。
【００７３】
さらに、分割輻射パネル２３１ｃと他の分割輻射パネル２３２ｃ、２３３ｃ、２３４ｃとには同一の冷媒回路を循環する冷媒が流れるように構成されているため、冷房時に分割輻射パネル２３２ｃの下方に配置された分割輻射パネル２３１ｃが暖められることにより、下方へと流動しようとする冷たい空気の冷熱が分割輻射パネル２３１ｃによって回収される。これにより、この空気調和機１ｃでは、輻射効率が向上している。暖房時に分割輻射パネル２３４ｃを冷たい冷媒が流れて分割輻射パネル２３４ｃが冷却されるような構成及び制御にした場合も同様である。
【００７４】
＜他の実施形態＞
（１）
上記の実施形態にかかる空気調和機１ａ，１ｂ，１ｃの室内機２ａ，２ｂ，２ｃに、本体ケーシング２４の前面開口２４１を開閉することができるシャッター（図示せず）と、シャッターを駆動するシャッター用モータ２４０（図１１参照）とをさらに設けてもよい。そして、制御部６は、冷房時には前面開口２４１の上部を閉じ、暖房時には前面開口２４１の下部を閉じる制御を行う。
【００７５】
この空気調和機の室内機では、冷房時には前面開口２４１の上部が閉じられる。このため、輻射パネル２３ａ，２３ｂ，２３ｃに沿って下方へと流動する冷たい空気を前面開口２４１の下部から吸い込むことが容易になる。また、暖房時には前面開口２４１の下部が閉じられる。このため、輻射パネル２３ａ，２３ｂ，２３ｃに沿って上方へと流動する暖かい空気を前面開口２４１の上部から吸い込むことが容易になる。これにより、この空気調和機の室内機では、輻射パネル２３ａ，２３ｂ，２３ｃに沿って流動する空気をより効率よく本体ケーシング内へと取り込むことができる。
【００７６】
（２）
上記の実施形態では、室内機２ａ，２ｂ，２ｃは、壁掛け型であるが、床面に配置される床置き形のものであってもよい。
（３）
上記の実施形態では、室内熱交換器２０は、本体ケーシング２４の前面開口２４１と遠心ファン２１との間に配置されている。また、本体ケーシング２４の前面開口２４１は、輻射パネル２３ａ，２３ｂ，２３ｃの背面側に設けられている。すなわち、室内熱交換器２０は、輻射パネル２３ａ，２３ｂ，２３ｃの背面側に設けられている。しかし、室内熱交換器２０の位置はこれに限られるものではなく、輻射パネル２３ａ，２３ｂ，２３ｃの上方、下方または側方などに配置されてもよい。
【００７７】
（４）
上記の実施形態では、輻射パネル２３ａ，２３ｂ，２３ｃに沿って流動する空気は、室内熱交換器２０に通された後に室内へと吹き出されているが、室内熱交換器２０を通らずに室内へと吹き出されてもよい。この場合も、輻射パネル２３ａ，２３ｂ，２３ｃによって冷却又は暖められた空気を室内へと再び吹き出すことにより、ドラフトの防止や室内の温度分布の向上等の効果が得られる。
【００７８】
（５）
上記の実施形態では、本空気調和機１ａ，１ｂ，１ｃの冷媒回路の一例が採用されているが、その構成はヒートポンプとして機能するものであればこの限りではなく、水等の２次冷媒が使用される構成であってもよい。
（６）上記の実施形態では、輻射パネル２３ａ，２３ｂ，２３ｃは冷媒によって熱交換されることにより機能しているが、補助熱源として輻射パネル２３ａ，２３ｂ，２３ｃの一部又は全部に冷媒によらないヒータを組み込んでもよい。また、このヒータは下第２輻射パネル２３３ｂや分割輻射パネル２３４１ｃ等のように流動空気の抑制のために使用されてもよい。
【００７９】
（７）
上記の実施形態では、輻射パネル２３ａ，２３ｂ，２３ｃを構成するパネルは金属製である。輻射パネル２３ａ，２３ｂ，２３ｃを構成するパネルが複数ある場合、すべて同種のパネルで構成されているかは特に特定されていないが、各パネルの用途に応じて材質や表面加工を変えるなどして輻射率や空気との熱交換性能を調整していもよい。
【００８０】
【発明の効果】
請求項１に記載の空気調和機では、第１輻射パネルに沿って流動する流動空気が本体ケーシング内へ向けて案内される。例えば、冷房時には第１輻射パネルが冷却されることにより、第１輻射パネルに沿って下方へと流動する流動空気が生じる。また、暖房時には第１輻射パネルが加熱されることにより、第１輻射パネルに沿って上方へと流動する流動空気が生じる。そして、この空気調和機では、このような流動空気が本体ケーシング内へ向けて案内される。このため、この空気調和機では、上記のような流動空気が床面付近や天井面付近等に滞留することを抑えることができる。これにより、この空気調和機では、室内の温度分布の偏りを軽減し快適性を向上させることができる。
【００８１】
請求項２に記載の空気調和機では、送風装置が、流動空気を本体ケーシング内へと取り込み室内へと吹き出させることができる。このため、本体ケーシング内へと取り込まれた冷たい空気や暖かい空気を、再び室内へと吹出して室内の冷房や暖房に利用することができる。これにより、この空気調和機では、省エネ性を向上させることができる。
【００８２】
請求項３に記載の空気調和機では、熱交換器が、本体ケーシング内へと取り込まれた流動空気との間で熱交換を行うことができる。このため、この空気調和機では、本体ケーシング内へと取り込まれた流動空気を、熱交換器により冷却又は加熱して送風装置により再び室内へと送ることができる。すなわち、この空気調和機では、輻射による輻射式空気調和と、熱交換器と送風装置とによる対流式空気調和との両方による空気調和を行うことができる。このため、この空気調和機では、輻射式空気調和のみによって空気調和を行う場合と比べて、冷房時の冷たい空気や暖房時の暖かい空気を室内により十分に行き届かせることができる。
【００８３】
請求項４に記載の空気調和機では、冷房時には、本体ケーシング内へと取り込まれた流動空気が上吹出し口から吹き出す。上吹出し口から吹き出た冷房時の冷たい空気は、室内の上部から下部へと下降しながら室内の広い範囲を冷やす。このため、この空気調和機では、冷房時の冷たい空気が床面付近に滞留することを抑えることができる。これにより、この空気調和機では、冷房時の室内の温度分布の偏りを軽減することができる。
【００８４】
請求項５に記載の空気調和機では、暖房時には、本体ケーシング内へと取り込まれた流動空気が下吹出し口から吹き出す。下吹出し口から吹き出た暖房時の暖かい空気は、室内の下部から上部へと上昇しながら室内の広い範囲を暖める。このため、この空気調和機では、暖房時の暖かい空気が天井付近に滞留することを抑えることができる。これにより、この空気調和機では、暖房時の室内の温度分布の偏りを軽減することができる。
【００８５】
請求項６に記載の空気調和機では、第１輻射パネルに沿って流動する流動空気が、ガイドによって本体ケーシング内へ向けて案内される。例えば、冷房時には第１輻射パネルが冷却されることにより、第１輻射パネルに沿って下方へと流動する流動空気が生じる。また、暖房時には第１輻射パネルが加熱されることにより、第１輻射パネルに沿って上方へと流動する流動空気が生じる。そして、この空気調和機では、このような流動空気が本体ケーシング内へ向けて案内される。このため、この空気調和機では、上記のような流動空気が床面付近や天井面付近等に滞留することを抑えることができる。これにより、この空気調和機では、室内の温度分布の偏りを軽減することができる。
【００８６】
請求項７に記載の空気調和機では、ガイドは、第１輻射パネルの下方を覆うように設けられる。冷房時には、第１輻射パネルが冷却されることにより冷たい流動空気が第１輻射パネルに沿って下方へと流動する。この空気調和機では、このような流動空気が、第１輻射パネルの下方でガイドによって本体ケーシング内へと向けて案内される。これにより、この空気調和機では、冷房時に第１輻射パネルに沿って流動する流動空気を本体ケーシング内へ向けて案内することができる。
【００８７】
請求項８に記載の空気調和機では、ガイドは、輻射パネルから生じるドレン水を受け取るドレンパンを兼ねる。このため、この空気調和機では、部品点数の増加を抑制することができる。
請求項９に記載の空気調和機では、ガイドは、第１輻射パネルの上方を覆うように設けられる。暖房時には、第１輻射パネルが加熱されることにより暖かい流動空気が第１輻射パネルに沿って上方へと流動する。この空気調和機では、このような流動空気が第１輻射パネルの上方でガイドによって本体ケーシング内へと向けて案内される。これにより、この空気調和機では、暖房時に第１輻射パネルに沿って流動する流動空気を本体ケーシング内へ向けて案内することができる。
【００８８】
請求項１０に記載の空気調和機では、ガイドが、第１輻射パネルに沿って流動する流動空気を本体ケーシング内へ向けて案内すると共に、本体ケーシングの上吹出し口から吹き出された空気を案内する。このため、本体ケーシング内への案内するガイドと上吹出し口から吹き出された空気の案内するガイドとの両方の機能を一つのガイドで果たすことができる。これにより、この空気調和機では、部品点数の増加を抑制することができる。
【００８９】
請求項１１に記載の空気調和機では、第１輻射パネルに沿って流動する流動空気が、第２輻射パネルによって本体ケーシング内へ向けて案内される。例えば、冷房時には第１輻射パネルが冷却されることにより、第１輻射パネルに沿って下方へと流動する流動空気が生じる。また、暖房時には第１輻射パネルが加熱されることにより、第１輻射パネルに沿って上方へと流動する流動空気が生じる。そして、この空気調和機では、このような流動空気が、第２輻射パネルによって本体ケーシング内へ向けて案内される。このため、この空気調和機では、上記のような流動空気が床面付近や天井面付近等に滞留することを抑えることができる。これにより、この空気調和機では、室内の温度分布の偏りを軽減することができる。
【００９０】
請求項１２に記載の空気調和機では、第２輻射パネルは、第１輻射パネルの下方に配置される。冷房時には、第１輻射パネルが冷却されることにより、冷たい流動空気が第１輻射パネルに沿って下方へと流動する。この空気調和機では、このような流動空気が、第１輻射パネルの下方で第２輻射パネルによって本体ケーシング内へと向けて案内される。これにより、この空気調和機では、冷房時に第１輻射パネルに沿って流動する流動空気を本体ケーシング内へ向けて案内することができる。
【００９１】
請求項１３に記載の空気調和機では、冷房時には第１輻射パネルの下方に配置された第２輻射パネルが暖められる。冷房時には、第１輻射パネルが冷却されて冷たい空気が、第１輻射パネルに沿って下方へと流動する。このとき、第１輻射パネルの下方に配置された第２輻射パネルが暖められると、下方へと流動する冷たい空気の流れが第２輻射パネルの熱によって抑制される。これにより、この空気調和機では、冷房時の室内の温度分布の偏りを軽減することができる。
【００９２】
請求項１４に記載の空気調和機では、第２輻射パネルは、第１輻射パネルの上方に配置される。暖房時には、第１輻射パネルが加熱されることにより、第１輻射パネルに沿って上方へと流動する暖かい流動空気が生じる。この空気調和機では、このような流動空気が第１輻射パネルの上方で第２輻射パネルによって本体ケーシング内へと向けて案内される。これにより、この空気調和機では、暖房時に第１輻射パネルに沿って流動する流動空気を本体ケーシング内へ向けて案内することができる。
【００９３】
請求項１５に記載の空気調和機では、暖房時には第１輻射パネルの上方に配置された第２輻射パネルが冷却される。暖房時には、第１輻射パネルが加熱されて、暖かい空気が第１輻射パネルに沿って上方へと流動する。このとき、第１輻射パネルの上方に配置された第２輻射パネルが冷却されると、上方へと流動する暖かい空気の流れが第２輻射パネルの冷熱によって抑制される。これにより、この空気調和機では、暖房時の室内の温度分布の偏りを軽減することができる。
【００９４】
請求項１６に記載の空気調和機では、第１輻射パネルは、隙間を隔てて配置される複数の分割輻射パネルにより構成される。このため、第１輻射パネルに沿って流動する流動空気を、第１輻射パネルを構成する複数の分割輻射パネルの隙間から本体ケーシング内へ向けて案内することができる。従って、この空気調和機では、流動空気が床面付近や天井面付近等に滞留することを抑えることができる。これにより、この空気調和機では、室内の温度分布の偏りを軽減することができる。
【００９５】
請求項１７に記載の空気調和機では、冷房時には第１輻射パネルを構成する複数の分割輻射パネルの内、下方に配置された分割輻射パネルが暖められる。冷房時には第１輻射パネルが冷却されて、冷たい空気が第１輻射パネルに沿って下方へと流動する。このとき、下方に配置された分割輻射パネルが暖められると、下方へと流動する冷たい空気の流れが下方に配置された分割輻射パネルの熱により抑制される。これにより、この空気調和機では、冷房時の室内の温度分布の偏りを軽減することができる。
【００９６】
請求項１８に記載の空気調和機では、暖房時には第１輻射パネルを構成する複数の分割輻射パネルの内、上方に配置された分割輻射パネルが冷却される。暖房時には第１輻射パネルが加熱されて、暖かい空気が第１輻射パネルに沿って上方へと流動する。このとき、上方に配置された分割輻射パネルが冷却されると、上方へと流動する暖かい空気の流れが上方に配置された分割輻射パネルの冷熱によって抑制される。これにより、この空気調和機では、暖房時の室内の温度分布の偏りを軽減することができる。
【００９７】
請求項１９に記載の空気調和機では、熱源装置が主輻射パネルの上下方向の端部近傍に配置されており、主輻射パネルとは独立して熱源装置の温度制御が可能である。このため、この空気調和機では、主輻射パネルに沿って流動する空気を抑制するように熱源装置を温度制御することが可能である。例えば、冷却されている主輻射パネルに対して、熱源装置を暖める温度制御が可能である。この場合、主輻射パネルに沿って下方へと流動する冷たい空気の流れが、熱源装置の熱によって抑制される。また、暖められている主輻射パネルに対して、熱源装置を冷却する温度制御が可能である。この場合、主輻射パネルに沿って上方へと流動する暖かい空気の流れが熱源装置の冷熱によって抑制される。このように、この空気調和機では、主輻射パネルに沿って流動する空気を抑制するように熱源装置の温度制御を行うことによって、主輻射パネルに沿って流動する空気が床面付近や天井面付近等に滞留することを抑えることができる。これにより、この空気調和機では、室内の温度分布の偏りを軽減し快適性を向上させることができる。
【００９８】
請求項２０に記載の空気調和機では、主輻射パネルとは別体に形成された副輻射パネルの温度制御を主輻射パネルとは独立して行うことにより、主輻射パネルに沿って流動する空気の流れを抑制することが可能である。このため、この空気調和機では、主輻射パネルに沿って流動する空気が床面付近や天井面付近等に滞留することを抑えることができる。これにより、この空気調和機では、室内の温度分布の偏りを軽減することができる。
【００９９】
請求項２１に記載の空気調和機では、主輻射パネルと熱源装置とには同一の冷媒回路を循環する冷媒が流れるため、同一の冷媒回路内で熱が授受されることとなり熱回収が行われる。例えば、主輻射パネルに沿って上昇する暖かい空気を抑制するために熱源装置を冷却する温度制御が行われると、上昇する暖かい空気の熱が熱源装置によって回収されることとなる。このように、この空気調和機では、主輻射パネルに沿って下方または上方へと流動する空気から熱を回収することができる。これにより、この空気調和機では、室内の温度分布の偏りを軽減すると共に輻射による空気調和の効率を向上させることができる。
【０１００】
請求項２２に記載の空気調和機では、冷房時には主輻射パネルの下端部近傍に配置された熱源装置が暖められる。冷房時には主輻射パネルが冷却されて、冷たい空気が主輻射パネルに沿って下方へと流動する。このとき、下端部近傍に配置された熱源装置が暖められると、下方へと流動する冷たい空気が熱源装置の熱によって抑制される。これにより、この空気調和機では、冷房時の室内の温度分布の偏りを軽減することができる。
【０１０１】
請求項２３に記載の空気調和機では、暖房時には主輻射パネルの上端部近傍に配置された熱源装置が冷却される。暖房時には主輻射パネルが加熱されて、暖かい空気が主輻射パネルに沿って上方へと流動する。このとき、上端部近傍に配置された熱源装置が冷却されると、上方へと流動する暖かい空気が熱源装置の冷熱により抑制される。これにより、この空気調和機では、暖房時の室内の温度分布の偏りを軽減することができる。
【図面の簡単な説明】
【図１】第１実施形態にかかる空気調和機の構成および冷媒回路を表す図。
【図２】第１実施形態にかかる空気調和機の室内機の正面図。
【図３】第１実施形態にかかる空気調和機の室内機の側面断面図。
【図４】第１実施形態にかかる空気調和機の制御ブロック図。
【図５】第１実施形態にかかる空気調和機の室内機における冷房時の空気の流れを表す図。
【図６】第１実施形態にかかる空気調和機の室内機における暖房時の空気の流れを表す図。
【図７】第２実施形態にかかる空気調和機の室内機の側面断面図。
【図８】第２実施形態にかかる空気調和機の構成および冷媒回路を表す図。
【図９】第３実施形態にかかる空気調和機の構成および冷媒回路を表す図。
【図１０】第３実施形態にかかる空気調和機の室内機の側面断面図。
【図１１】他の実施形態にかかる空気調和機の制御ブロック図。
【符号の説明】
１ａ，１ｂ，１ｃ　　　　　空気調和機
２０　　　　　　　　　　　室内熱交換器（熱交換器）
２１　　　　　　　　　　　遠心ファン（送風装置）
２３ａ，２３ｃ　　　　　　輻射パネル（第１輻射パネル）
２３ｂ　　　　　　　　　　輻射パネル
２４　　　　　　　　　　　本体ケーシング
２６　　　　　　　　　　　上吸込みガイド（ガイド）
２７　　　　　　　　　　　下吸込みガイド（ガイド）
２３１ｂ　　　　　　　　　第１輻射パネル（第１輻射パネル、主輻射パネル）
２３２ｂ　　　　　　　　　上第２輻射パネル（第２輻射パネル、熱源装置）
２３３ｂ　　　　　　　　　下第２輻射パネル（第２輻射パネル、熱源装置）
２３２ｃ，２３３ｃ　　　　分割輻射パネル（分割輻射パネル、主輻射パネル）
２３１ｃ，２３４ｃ　　　　分割輻射パネル（分割輻射パネル、熱源装置、副輻射パネル）
２４４　　　　　　　　　　上吹出し口
２４５　　　　　　　　　　下吹出し口
【図１】
2004132560.tif 000003
【図２】
2004132560.tif 000004
【図３】
2004132560.tif 000005
【図４】
2004132560.tif 000006
【図５】
2004132560.tif 000007
【図６】
2004132560.tif 000008
【図７】
2004132560.tif 000009
【図８】
2004132560.tif 000010
【図９】
2004132560.tif 000011
【図１０】
2004132560.tif 000012
【図１１】
2004132560.tif 000013